(57)【特許請求の範囲】
【請求項１】
それぞれがステータブレード（４）を収容するように設計された複数の貫通開口部（２２）を備え、各開口部はブレードの後縁（２６）を収容するように設計された第１の端部（２５）とブレードの前縁（２８）を収容するように設計された第２の端部（２７）との間に伸びるスケルトン（３２）を形成する、航空機ターボエンジンモジュールのステータ用シェル（１６）であって、前記開口部（２２）の少なくとも１つは、シェルを貫通し前記スケルトン（３２）の方向に沿って開口部の前記第１の端部（２５）に対向しかつ前記第１の端部から離間して配置された機械的荷重伝達スリット（３６）に関連付けられることを特徴とするシェル（１６）。
【請求項２】
前記スリット（３６）は、開口部に向かって曲線（３８）に沿って伸びることを特徴とする、請求項１に記載のシェル。
【請求項３】
前記開口部（２２）は、スケルトン（３２）の両側に、開口部の前記第１および第２の端部（２５、２７）で結合する内輪部（２３）と外輪部（２４）とを有すること、および前記スリット（３６）はさらに、開口部（２２）の前記第１の端部（２５）で結合する内輪部および外輪部（２３、２４）の一部（２３ａ、２４ａ）に対向してそこから離間して伸びることを特徴とする、請求項１または２に記載のシェル。
【請求項４】
前記スリット（３６）は、略Ｕ字形またはＶ字形であり、開口部の前記第１の端部（２５）は、Ｕ字またはＶ字の凹部の内側に位置することを特徴とする、請求項１から３のいずれか一項に記載のシェル。
【請求項５】
前記スリット（３６）は、充填材（４０）で埋められることを特徴とする、請求項１から４のいずれか一項に記載のシェル。
【請求項６】
ほぼ環状の連続構造体を形成することを特徴とする、請求項１から５のいずれか一項に記載のシェル。
【請求項７】
端から端までシェルの角度セクタ（１６ａ）を配置して形成されたほぼ環状の構造体を形成することを特徴とする、請求項１から５のいずれか一項に記載のシェル。
【請求項８】
請求項１から７のいずれか一項に記載の少なくとも１つのシェル（１６）と複数のステータブレード（４）とを備える、航空機ターボエンジンモジュールのステータ部（１３）。
【請求項９】
前記シェルは外側シェル（１６）であること、および貫通開口部（２２）のそれぞれは、開口部内に配置されブレード（４）のヘッドの周囲全体に連続的に広がる溶接部（２１）によって外側シェルに固定された前記ブレード（４）の１つのヘッドを収容することを特徴とする、請求項８に記載のステータ部。
【請求項１０】
さらに複数の貫通開口部を備える内側シェル（８）を備え、貫通開口部のそれぞれは開口部内に形成され前記ブレード（４）の根元部の周囲全体に連続的に広がる溶接部によって内側シェルに固定された前記ブレード（４）の１つの根元部を収容することを特徴とする、請求項９に記載のステータ部。
【請求項１１】
請求項８から１０のいずれか一項に記載の少なくとも１つのステータ部（１３）を備える、航空機ターボエンジンのモジュール（１）。
【請求項１２】
圧縮機であることを特徴とする、請求項１１に記載のモジュール。
【請求項１３】
圧縮機が高圧圧縮機であることを特徴とする、請求項１２に記載のモジュール。
【請求項１４】
請求項１１から１３のいずれか一項に記載の少なくとも１つのモジュール（１）を備える、航空機用ターボエンジン。
【発明の詳細な説明】
【技術分野】
【０００１】
本発明は、概して、好ましくは、ターボジェットまたはターボプロップ式の航空機ターボエンジンに関する。
【０００２】
特に、本発明は、このようなターボエンジンのモジュールのステータ部に関し、このステータ部は、複数のステータブレードと、ブレードが固定される２つの同心シェルとを備え、これらのシェルはこのターボエンジンを通るコアエンジン流を半径方向に画定し、一方のシェルは内側流を画定し、他方のシェルは外側流を画定する。
【０００３】
本発明は、さらに、これらのコアエンジン流を画定するシェルに関する。
【背景技術】
【０００４】
外側シェルは、一般的には、円周方向に互いに離間し、通常は金属製のシェルの厚さを貫通する複数の開口部を備え、この外側シェルから半径方向内側に伸びるステータブレードを保持する。
【０００５】
各開口部は、ステータブレードの１つのヘッドを収容し、このヘッドは、ブレードヘッドの周囲全体に連続的に広がる関連開口部内の溶接部によって外側シェルに固定される。
【０００６】
同様に、内側シェルは、一般的には、円周方向に互いに離間し、シェルを貫通した複数の開口部を備え、この内側シェルから半径方向外側に伸びるステータブレードを保持する。各開口部は、ステータブレードの１つの根元部を収容し、この根元部は、ブレード根元部の周囲全体に連続的に広がる関連開口部内の溶接部によって外側シェルに固定される。
【発明の概要】
【発明が解決しようとする課題】
【０００７】
この設計は当業界では一般的であるが、ブレードヘッドの後縁および／またはブレード根元部の後縁に亀裂が頻繁に生じるという不利点がある。
【０００８】
ステータブレードの寿命を短くするこの現象は、ブレードヘッドおよび／またはブレード根元部の後縁に非常に高い静荷重が作用するため動的なマージンが小さくなりすぎて亀裂が生じやすくなるというものである。
【０００９】
動作時の変形を少なくし、ひいてはブレードヘッドおよび根元部の後縁に加えられる応力を低減するために、シェルを厚くすることで上述の不利点を克服することが提案されている。しかしながら、この解決策は、コスト面と質量面において非常に費用がかかる。
【００１０】
また、ブレードを厚くすることが提案されたが、これは必然的にブレード間を通る気流に対する外乱を生じさせ、ターボエンジンの全体性能に必然的にマイナスの結果をもたらす。
【００１１】
したがって、本発明の目的は、先行技術の実施形態で生じる上述の問題を少なくとも部分的に克服することである。
【課題を解決するための手段】
【００１２】
上述の目的を達成するために、本発明の目的は、それぞれがステータブレードを保持するいくつかの貫通開口部を備えた航空機ターボエンジンモジュールのステータ用シェルであり、各開口部はブレードの後縁が嵌合する第１の端部とブレードの前縁が嵌合する第２の端部との間に伸びるスケルトンを画定する。本発明によれば、前記開口部の少なくとも１つにシェルを貫通する機械的荷重伝達スリットが形成され、前記スケルトンの方向に沿って開口部の前記第１の端部に対向しかつ第１の端部から離間して配置される。
【００１３】
提案されている本発明により、このような機械的荷重伝達スリットが取り付けられた開口部と協働するブレードの前縁部における静荷重を全体的に低減することができ、動的なマージンができるので、亀裂の発生を確実に遅らせることができる。したがって、動作時のシェルの変形時に、高い荷重領域がスリットの端部に伝達される、すなわち、後縁から離間して、この荷重を容易に支持することができるシェル内に伝達される。
【００１４】
この解決策は、質量、コストまたは性能の面で全く不利でないという点で非常に満足できる。また、本発明は、ブレードの寿命を長くし、ひいては、有利には、検査とメンテナンス動作との間の間隔が広げられるということである。
【００１５】
当然、要求や制約に応じて、この固有の特徴は全てのステータブレードに適用されてもよいし、またはいくつかの特定のブレードに限定されてもよい。例として、本発明のシェルがセクタ化されている場合、シェルの各セクタの両端の２つのブレードに対してのみこの機械的荷重伝達スリットを関連付けるのが賢明であることがわかった。しかしながら、本発明の範囲から逸脱せずに任意の他の構造も考えられる。
【００１６】
機械的荷重伝達スリットの製造は、スリットが開口部と同時に機械加工されうるので、シェル製造プロセスの時間をわずかに延長するだけで済む。さらに、既存のシェルにこのようなスリットを形成することができるのが有利である。
【００１７】
最後に、好ましくは、本発明のシェルは、コアエンジン流の半径方向外側シェルに適用可能である、すなわち、動作時にターボエンジンケーシングの変位の影響下で最も大きな変形が生じるステータシェルに適用可能であることに留意されたい。外側シェルの主変形さらには内側シェルのわずかな変形は、直径が後部に向かって大きくなることが特徴であり、全体として円筒形が円錐台形に変形することであることに留意されたい。
【００１８】
好ましくは、前記スリットは、曲線にそって開口部に向かって伸び、場合によっては、開口部の一部の周囲に伸びる。
【００１９】
好ましくは、前記開口部は、スケルトンの両側に、開口部の前記第１の端部および第２の端部で結合する内輪部と外輪部とを有し、また、前記スリットは、前記第１の端部および第２の端部で結合する内輪部の一部および外輪部の一部に対向してそこから離間して伸びる。スリットは、開口部の後方部からほぼ一定の間隔を置いてその後方部の周囲に伸びることができる。
【００２０】
好ましくは、前記スリットは、略Ｕ字形またはＶ字形であり、開口部の前記第１の端部は、Ｕ字形またはＶ字形の凹部の内側に位置して、ブレードの後縁からの荷重伝達を向上させる。
【００２１】
好ましくは、前記スリットは、充填材で埋められる。この材料を詰めることで求められる主な機能は、ステータブレードを通過する気流を気密にすることであり、さらに熱損失を制限することである。したがって、このスリットは中空のままにしてもよいし、前記充填材で埋められてもよいが、スリットが提供できる機械的支持はゼロまたはごくわずかである。
【００２２】
例えば、充填材は、例えば、温度変化に強いシリコーンゴム化合物で、球状粒子を含む、アブレイダブルタイプの充填材にすることができる。
【００２３】
シェルは、好ましくは、一部品から成るほぼ環状の連続構造体を形成するのが好ましい。あるいは、シェルは、端から端まで、シェルの角度セクタを設置することで形成される。
【００２４】
本発明の別の目的は、少なくとも１つの上述のようなシェルと複数のステータブレードとを備える航空機ターボエンジンモジュールのステータ部である。
【００２５】
好ましくは、前記シェルは外側シェルであり、貫通開口部のそれぞれは、開口部内に形成されブレードヘッドの周囲全体に連続的に広がる溶接部によって外側シェルに固定された前記ブレードの１つのヘッドを含む。したがって、この解決策により、連続溶接部により開口部内でブレードヘッドを十分に支持することができ、本発明に固有の機械的荷重伝達スリットをブレードヘッドの後縁から離間して配置することで、この後縁が過荷重状態になるのを防ぐことができる。
【００２６】
この固有の特徴は、同時にまたは代替的に、いくつかの貫通開口部を備える内側シェルをさらに備えるステータ部の内側シェルに適用可能であり、開口部のそれぞれは、開口部内に形成されブレード根元部の周囲全体に連続的に広がる溶接部によって内側シェルに固定された前記ブレードの１つの根元部を含む。したがって、機械的荷重伝達スリットは、内側シェルのこれらの開口部の１つまたは複数に関連付けられてよい。
【００２７】
本発明の別の目的は、少なくとも上述したステータ部を備える航空機ターボエンジンモジュールであり、モジュールは、好ましくは、圧縮機であり、さらに好ましくは、高圧圧縮機であり、あるいは、場合によっては、本発明の範囲から逸脱しないタービンである。
【００２８】
最後に、本発明の別の目的は、少なくとも１つの上述のようなモジュールを備える航空機用ターボエンジンであり、ターボエンジンは、好ましくは、ターボジェットである。
【００２９】
本発明の他の利点および特徴は、以下の非限定的な詳細な説明の中で明らかになるであろう。
【００３０】
以下、添付図面を参照しながら本発明について説明する。
【図面の簡単な説明】
【００３１】
【図１】本発明の好適な実施形態に係るターボエンジンの高圧圧縮機の部分片側断面図である。
【図２】図１に示された圧縮機のステータ部の角度部分を形成するアセンブリの正面図である。
【図３】図２に示されたアセンブリの部分上面図である。
【図３ａ】図３に示されたアセンブリのシェルに形成された機械的荷重伝達スリットの代替形態を示す図である。
【図３ｂ】図３に示されたアセンブリのシェルに形成された機械的荷重伝達スリットの代替形態を示す図である。
【図４ａ】図３に示されたアセンブリのシェルに形成された追加の機械的荷重伝達スリットの実施形態の例を示す図である。
【図４ｂ】図３に示されたアセンブリのシェルに形成された追加の機械的荷重伝達スリットの実施形態の例を示す図である。
【発明を実施するための形態】
【００３２】
最初に、図１は、本発明の好適な実施形態に係るターボエンジンの高圧圧縮機１の一部を示している。知られているように、圧縮機は、圧縮機軸２に平行な軸方向に沿って交互にステータブレード４とロータブレード６とを備える。ステータブレード４は、軸２の円周方向に分布し、また本発明のステータ部１３に組み込まれ、ステータ部１３はさらに、ターボエンジンを通過する環状コアエンジン流１０の半径方向内側を画定する内側シェル８を備え、内側シェル８は、シェル８を貫通するブレード根元部４を支持する。ステータ部はさらに、環状コアエンジン流１０の半径方向外側を画定する外側シェル１６を含み、外側シェル１６は、シェル１６を貫通するブレードヘッド４を支持する。
【００３３】
この点において、ステータ部はさらに、シェル８に付けられる追加の知られている要素、例えば、環状封止トラックを形成するアブレイダブル半径方向内側コーティング１５を備えることに留意されたい。コーティング１５は、回転ブレード６を担持し関連ステータ部から下流側に配置されるロータ段１４によって担持される封止装置１２によって接触される。上述したように、回転封止装置１２は、知られているラビリンス式またはリップ式のシールである。
【００３４】
説明される好適な実施形態では、ステータ部１３は、軸２を有するほぼ環状の構造体を形成し、好ましくは、図２に示されるような、各々がステータ部の角度部分または円周部分を形成する複数のアセンブリ２０を配置して構成される。図２に見られるように、各アセンブリ２０は、複数のステータブレード４を備える内側シェルの角度セクタ８ａを備え、内側シェル８は、セクタ８ａの全てを端から端まで配置することで形成される。
【００３５】
したがって、図示されたセグメント構造では、一体となってシェル８を形成する角度セクタ８ａ（図２には１つだけ示されている）は、好ましくは、セクタを互いに接続する直接の剛性的な機械的接続部を持たず、セクタの隣接端部が間隙の有無に関係なく互いに対向して配置されるだけである。
【００３６】
シェル８を形成するために行われるセグメント化は、全く同じ方法で、環状封止トラックを形成するアブレイダブル半径方向内側コーティング１５にも採用され、つまり、このコーティングの１つの角度セクタ１５ａのみがシェルのセクタ８ａによって支持され、セクタ８ａに固定される。
【００３７】
同様に、アセンブリ２０は、複数のステータブレード４を支持する外側シェルの角度セクタ１６ａを備え、外側シェル１６は、セクタ１６ａ全てを配置することで形成される。したがって、同様にして、一体となってシェル１６を形成する角度セクタ１６ａ（図２には１つだけ示されている）は、好ましくは、セクタを互いに接続する直接の剛性的な機械的接続部を持たず、セクタの隣接端部が間隙の有無に関係なく互いに対向して配置されるだけである。
【００３８】
ステータ部１３は、これらのいくつかの角度部分２０を端から端まで配置することで構成されているので、いわゆるセグメント設計を採用しており、シェル８および１６のそれぞれが唯一の構成要素であり３６０°連続した連続体と言われる別の設計（これも想定できる）を採用しない。１つの可能な代替形態は、２つのシェル８およびシェル１６の一方が３６０°連続した単一部品で形成され、他方のシェルがセクタ化されるというものである。
【００３９】
参考までに、上述の環状ステータ部１３を形成するのに使用されるアセンブリ／セクタ２０の数は６〜１４とすることができ、各アセンブリ２０は、好ましくは、同じ角度／周方向面積を有する。
【００４０】
図３は、外側シェルの角度セクタ１６ａが、貫通開口部となるようにこのセクタ１６ａの厚さ内に形成された開口部２２を備える図である。説明を明確にするために、図３の下側に示されている関連ブレード４のヘッドが差し込まれた開口部２２とは違って、図３の上側に見られる開口部２２は、関連ブレードが差し込まれていない状態で示されている。このヘッドは、開口部２２の側壁とブレードヘッドの外表面との間に画定されるスペース１９内のブレードヘッド周囲全体の連続溶接部２１によって堅く固定される。
【００４１】
各開口部２２は、開口部の前端および後端で結合する内輪部２３と外輪部２４とを備える側壁を有する。これらの２つの端部のうちの第１の端部２５は、ブレードヘッドの後縁２６を収容し、第２の端部２７は、ブレードヘッドの前縁２８を収容する。
【００４２】
内輪部２３および外輪部２４は、２つの端部２５、２７が通るスケルトン３２を画定し、スケルトン３２は、知られている方法では、内輪部２３と外輪部２４との間の中線に対応する。さらに、図３の下側の開口部に示されるように、開口部２２のスケルトン３２は、この開口部内で溶接部２１によって固定されるブレードヘッドのスケルトン３３と一致し、開口部の輪郭とブレードヘッドの輪郭との中心が合わされて相似となる。
【００４３】
本発明の１つの固有の特徴は、少なくとも１つの開口部２２に関連付けられた機械的荷重伝達スリット３６で、関連開口部２２から後方に離間してシェルを貫通する機械的荷重伝達スリット３６を形成することである。より詳細には、スリット３６は、スケルトン３２の方向に沿って開口部の第１の端部２５に対向してそこから離間して配置される、つまり、関連ブレードの後縁から離間して配置される。図示されている実施形態では、スリット３６は、開口部に向かって、開口部の後方部の周囲に伸びる曲線３８に沿って伸びる。図３では、スリット３６および曲線３８は、馬蹄形のような略Ｕ字形またはＶ字形であり、その内側に開口部の後方部が形成され、第１の端部２５はこのＵ字形の底部に対向して底部から離間される。この点では、スケルトン３２の方向に沿った開口部の端部２５とスリット３６との間の間隔「ｄ」は、このスケルトンに沿ったブレードヘッド４の全長（記載せず）の０．０２〜０．１倍、好ましくは、０．０３〜０．０５倍であることに留意されたい。
【００４４】
この構造では、Ｕ字の２つの枝部も同様に、第１の端部２５で結合する内輪部２３の一部２３ａおよび外輪部２４の一部２４ａにそれぞれ対向してそこから離間して伸びる。Ｕ字の２つの枝部を関連開口部の２つの部分２３ａ、２３ｂから離す間隔は、間隔「ｄ」と同じまたは近い間隔とする、つまり、スリット３６が開口部２２の後方部の周囲に、後方部からほぼ一定間隔離間して伸びるということである。
【００４５】
Ｕ字の枝部はほぼ同じ長さであり、スケルトン３２の後方部はＵ字形スリット３６のほぼ対称軸であることに留意されたい。
【００４６】
Ｕ字の開口部に入り込むスケルトン３２の方向に沿った開口部２２の長さ「ｌ」は、このスケルトンに沿ったブレードヘッド４の全長（記載せず）の０．０３〜０．４倍、好ましくは、このスケルトンに沿ったブレードヘッド４の全長の０．０５〜０．２倍である。
【００４７】
第１の可能な形態は、図３の上側に示されるように、機械的荷重伝達スリット３６を中空にした形態である。あるいは、スリット３６は、主にコアエンジン流を封止することを目的とした、すなわち、スリット３６からの漏れを防ぐことを目的とした充填材４０で埋められてもよい。このような充填材は、図３の下側のスリットの参照番号４０で示されている。例えば、充填材は、例えば、温度変化に強いシリコーンゴム化合物で、球状粒子を含むアブレイダブルタイプの材料とすることができる。
【００４８】
このような機械的荷重伝達スリット３６は、単にアセンブリ２０の両端に位置するブレードに関連付けて配設されるのが好ましいが、本発明の範囲から逸脱せずに他の形の構造も十分に可能であろう。
【００４９】
さらに、この機械的荷重伝達スリット３６は、ブレード根元部が嵌合する内側シェル８の貫通開口部に関連付けて配設されてもよい。この場合、アセンブリは、外側シェルの図３に示されたアセンブリと同じである、または類似している。
【００５０】
図３ａは、スリット３６の第１の代替形態を示す図である。スリット３６の全体の形状は上述の形状とほぼ同じであるが、２つの端部３６ａのみが広げられて、シェル内のこれらのスリット端部における応力を低減する。したがって、スリット３６は、全長にわたってほぼ同じ幅でなく、好ましくは、ブレードの方向と反対の方向に応力を向けるために開口部２２から離れるように配置された広く丸い端部３６ａを含む。
【００５１】
図３ｂは、別の代替形態を示しており、スリット３６は図３ａに示されたスリットのほぼ半分に相当し、開口部２２のスケルトン３２は端部３６ａの一方を通る。
【００５２】
このようなスリット３６は、ブレード部に高い静荷重がかかるため、このブレードの後縁に関連付けられているが、同様の機械的荷重伝達スリットが静的に高い荷重を受けるブレード４の他の部分に関連付けられてもよい。例えば、これは、ブレードの根元部またはヘッドのいずれかのブレード前縁に適用できる。この場合、図４ａに示された追加の機械的荷重伝達スリット１３６が、シェルを貫通して、スケルトン３２の方向に沿って開口部の第２の端部２７に対向して端部２７から離間して形成されてもよい。このようなスリット１３６は、この場合、上述したスリット３６と同じ形状で、開口部２２の方向に向けられて、この開口部の前方部が入り込む形にすることができる。
【００５３】
同時にまたは代替的に、図４ｂに示されるように、開口部の内輪部２３および／または外輪部２４に沿って、関連部分２３、２４から離間して、複数の機械的荷重伝達スリット２３６を備えることができる。
【００５４】
当然、当業者は、単なる非限定的な例として上述した本発明に対して種々の変更を加えることができる。
【図１】
0005699132.tif 000002
【図２】
0005699132.tif 000003
【図３】
0005699132.tif 000004
【図３ａ】
0005699132.tif 000005
【図３ｂ】
0005699132.tif 000006
【図４ａ】
0005699132.tif 000007
【図４ｂ】
0005699132.tif 000008